(57)【特許請求の範囲】
【請求項１】
電子機器の筐体に配置されたキーボード部の下側に配置され、前記キーボード部を通って浸入した液体を表面に沿って所定方向に導く傾斜を有する受け板と、
前記受け板に設けられて前記所定方向に導かれた液体を落下させる開口部と、
前記開口部から落下した液体を前記受け板の下方で受け入れ、前記キーボード部に沿う平面の端部へ向かう所定方向へ導く傾斜を有する案内路と、
を有し、
前記案内路は、前記開口部の直下の位置から、前記端部へ向かう少なくとも一の方向へ傾斜した案内面を有し、
前記案内面は、第一の端部から前記第一の端部とは反対側の第二の端部まで延在する排水溝に形成され、
前記受け板は、平面視で四辺形状をなし、
前記開口部は、前記受け板の４つの隅部に形成され、
前記案内面は、４つの前記開口部のうち２つの前記開口部の直下に設けられた第一排水溝と、他の２つの前記開口部の直下に設けられた第二排水溝と、を有し、
前記第一排水溝及び前記第二排水溝のそれぞれは、前記第一の端部に向かって徐々に低くなるように傾斜する第一案内面と、前記第二の端部に向かって徐々に低くなるように傾斜する第二案内面と、を有する電子機器の排水構造。
【請求項２】
前記第一案内面と前記第二案内面との間の案内面が平面状をなす請求項１に記載の電子機器の排水構造。
【請求項３】
電子機器の筐体に配置されたキーボード部の下側に配置され、前記キーボード部を通って浸入した液体を表面に沿って所定方向に導く傾斜を有する受け板と、
前記受け板に設けられて前記所定方向に導かれた液体を落下させる開口部と、
前記開口部から落下した液体を前記受け板の下方で受け入れ、前記キーボード部に沿う平面の端部へ向かう所定方向へ導く傾斜を有する案内路と、
を有し、
前記案内路は、前記開口部の直下の位置から、前記端部へ向かう少なくとも一の方向へ傾斜した案内面を有し、
前記案内面は曲面状をなし、第一の端部から前記第一の端部とは反対側の第二の端部まで延在し、
前記受け板は、平面視で四辺形状をなし、
前記開口部は、前記受け板の４つの隅部に形成され、
前記案内面は、４つの前記開口部の直下の位置の間に最も上方に凸となる曲面状をなす電子機器の排水構造。
【請求項４】
前記受け板は、平面視で四辺形状をなし、前記四辺形の少なくとも一の隅部の高さが他の隅部と異なる請求項１から請求項３のいずれか一項に記載の電子機器の排水構造。
【請求項５】
前記受け板は、上面が一の平面状をなす請求項４に記載の電子機器の排水構造。
【請求項６】
電子機器の筐体に配置されたキーボード部の下側に配置され、前記キーボード部を通って浸入した液体を表面に沿って所定方向に導く傾斜を有する受け板と、
前記受け板に設けられて前記所定方向に導かれた液体を落下させる開口部と、
前記開口部から落下した液体を前記受け板の下方で受け入れ、前記キーボード部に沿う平面の端部へ向かう所定方向へ導く傾斜を有する案内路と、
を有し、
前記受け板は、四辺形状をなし、上面の所定箇所から各々の隅部へ向かう複数の平面を有する電子機器の排水構造。
【請求項７】
前記受け板は、四辺形状をなし、上面の所定箇所を頂部とする凸曲面状をなす請求項１から請求項３のいずれか一項に記載の電子機器の排水構造。
【請求項８】
請求項１から請求項７のいずれか一項に記載の電子機器の排水構造を備える電子機器。
【請求項９】
請求項１から請求項７のいずれか一項に記載の電子機器の排水構造を備えるキーボード装置。
【発明の詳細な説明】
【技術分野】
【０００１】
本発明は、電子機器の排水構造、電子機器、及びキーボード装置に関する。
【背景技術】
【０００２】
一般に、ノートブック型パーソナルコンピュータ（ノート型パソコン）等のキーボードを有する電子機器は、キーボードよりコンピュータ本体の内部に浸入した水等の液体を外部に排出するための排水構造を有している。
キーボードを有する電子機器の排水構造としては、キーボード部を構成するベースプレートに形成された孔を介して排出された液体を、キーボード部の下方に配置された受け部材にて受け入れた後、受け部材に形成された孔及びコンピュータ本体の筐体の底面に形成されている孔を介して排水する構造が知られている（例えば特許文献１参照）。
【先行技術文献】
【特許文献】
【０００３】
【特許文献１】特開２００３−１２２４５４号公報
【発明の概要】
【発明が解決しようとする課題】
【０００４】
ところで、特許文献１に記載の排水構造は、電子機器を机の上等に設置する水平設置を条件として排水可能な構造である。このような排水構造の場合、屋外での使用等に際して、電子機器を様々な向きで使用すると、確実に排水できるとは限らない。即ち、電子機器が傾いた状態であると、受け部材から排出された液体が外部へ排水されない場合がある。また、筐体の底部に排水口を設けた場合、筐体の底面と設置面との間に液体が溜まってしまい、またそのことに気付きにくい。
【０００５】
この発明は、キーボード部を有する電子機器において、キーボード部より浸入した液体を確実に排水することができる電子機器の排水構造、電子機器、及びキーボード装置を提供することを目的とする。
【課題を解決するための手段】
【０００６】
本発明は、上記課題を解決するため、以下の手段を採用する。
即ち、本発明に係る電子機器の排水構造は、電子機器の筐体に配置されたキーボード部の下側に配置され、前記キーボード部を通って浸入した液体を表面に沿って所定方向に導く傾斜を有する受け板と、前記受け板に設けられて前記所定方向に導かれた液体を落下させる開口部と、前記開口部から落下した液体を前記受け板の下方で受け入れ、前記キーボード部に沿う平面の端部へ向かう所定方向へ導く傾斜を有する案内路と、を有し、前記案内路は、前記開口部の直下の位置から、前記端部へ向かう少なくとも一の方向へ傾斜した案内面を有し、前記案内面は、第一の端部から前記第一の端部とは反対側の第二の端部まで延在する排水溝に形成され、前記受け板は、平面視で四辺形状をなし、前記開口部は、前記受け板の４つの隅部に形成され、前記案内面は、４つの前記開口部のうち２つの前記開口部の直下に設けられた第一排水溝と、他の２つの前記開口部の直下に設けられた第二排水溝と、を有し、前記第一排水溝及び前記第二排水溝のそれぞれは、前記第一の端部に向かって徐々に低くなるように傾斜する第一案内面と、前記第二の端部に向かって徐々に低くなるように傾斜する第二案内面と、を有することを特徴とする。
本発明に係る別の電子機器の排水構造は、電子機器の筐体に配置されたキーボード部の下側に配置され、前記キーボード部を通って浸入した液体を表面に沿って所定方向に導く傾斜を有する受け板と、前記受け板に設けられて前記所定方向に導かれた液体を落下させる開口部と、前記開口部から落下した液体を前記受け板の下方で受け入れ、前記キーボード部に沿う平面の端部へ向かう所定方向へ導く傾斜を有する案内路と、を有し、前記案内路は、前記開口部の直下の位置から、前記端部へ向かう少なくとも一の方向へ傾斜した案内面を有し、前記案内面は曲面状をなし、第一の端部から前記第一の端部とは反対側の第二の端部まで延在し、前記受け板は、平面視で四辺形状をなし、前記開口部は、前記受け板の４つの隅部に形成され、前記案内面は、４つの前記開口部の直下の位置の間に最も上方に凸となる曲面状をなすことを特徴とする。
本発明に係るさらに別の電子機器の排水構造は、電子機器の筐体に配置されたキーボード部の下側に配置され、前記キーボード部を通って浸入した液体を表面に沿って所定方向に導く傾斜を有する受け板と、前記受け板に設けられて前記所定方向に導かれた液体を落下させる開口部と、前記開口部から落下した液体を前記受け板の下方で受け入れ、前記キーボード部に沿う平面の端部へ向かう所定方向へ導く傾斜を有する案内路と、を有し、
前記受け板は、四辺形状をなし、上面の所定箇所から各々の隅部へ向かう複数の平面を有することを特徴とする。
【０００７】
また、本発明に係る電子機器は、上記電子機器の排水構造を備えることを特徴とする。
また、本発明に係るキーボード装置は、上記電子機器の排水構造を備えることを特徴とする。
【発明の効果】
【０００８】
本発明によれば、液体が斜面に沿って開口部に導かれ、開口部から落下した液体が案内路を介してキーボードに沿う平面の端部に導かれる。これにより、端部より液体を確実に排水することができる。
【図面の簡単な説明】
【０００９】
【図１】本発明の第一実施形態のノート型パソコンの斜視図である。
【図２】本発明の第一実施形態のノート型パソコンの平面図である。
【図３】本発明の第一実施形態のキーボード部の断面図である。
【図４】本発明の第一実施形態の排水構造の受け部材の斜視図である。
【図５】図２のＡ−Ａ断面図であって、本発明の第一実施形態のノート型パソコンのコンピュータ本体の断面図である。
【図６】図５に示すコンピュータ本体が傾いて設置されている様子を示す断面図である。
【図７】（ａ）本発明の第二実施形態のノート型パソコンのコンピュータ本体の断面図、及び（ｂ）一部拡大図である。
【図８】（ａ）図７に示すコンピュータ本体が傾いて設置されている様子を示す、及び（ｂ）一部拡大図である。
【図９】本発明の第三実施形態のノート型パソコンのコンピュータ本体の断面図である。
【図１０】本発明の第四実施形態の排水構造の受け部材の斜視図である。
【図１１】本発明の第五実施形態の排水構造の受け部材の斜視図である。
【図１２】本発明の第六実施形態のキーボード装置の斜視図である。
【発明を実施するための形態】
【００１０】
（第一実施形態）
以下、本発明の第一実施形態の電子機器であるノート型パソコン（ノート型パーソナルコンピュータ）について図面を参照して詳細に説明する。
図１は、本実施形態のノート型パソコン１の斜視図である。ノート型パソコン１は、液晶ディスプレイ等を有する表示装置と、キーボード（入力装置）、マザーボード、記憶装置、バッテリー、等を有するコンピュータ本体１０と、を有している。
ノート型パソコン１は、上記表示装置、入力装置、コンピュータ本体１０等が一体化されたパーソナルコンピュータである。ノート型パソコン１は、使用者が屋外等任意の場所へ移動させて利用することを前提として設計されている。
【００１１】
図１に示すように、ノート型パソコン１は、キーボード部２や、タッチパッド部１２等を有するコンピュータ本体１０と、液晶ディスプレイ等を有する表示部１１と、キーボード部２から侵入した水などの液体を排水する排水構造３０と、を有している。
図１、図２に示すように、コンピュータ本体１０は、コンピュータ本体１０の外形をなす箱型の筐体１３を有している。筐体１３には、キーボード部２が取り付けられている。筐体１３は、筐体１３にキーボード部２が取り付けられた際に、キーボード部２の複数のキートップ１８を露出させるための四辺形状のキーボード孔１４を有している。
【００１２】
表示部１１は、四方形状の表示面１１Ａに文字や画像などの映像を表示する装置である。表示部１１は、表示部１１とコンピュータ本体１０との接続部に沿って設けられた回動軸（図示せず）を中心として回動可能である。これにより、表示部１１の表示面１１Ａがコンピュータ本体１０に対向するように下方を向けている状態から、表示部１１が回動軸を中心に回動してコンピュータ本体１０から離間し開いた状態（図１参照）まで、状態移行が可能とされている。
【００１３】
タッチパッド部１２は、平板状のセンサーである。タッチパッド部１２は、タッチパッド部１２を指でなぞることで表示面１１Ａに表示されたマウスポインタ（カーソル）のような指示矢印の操作をする、ポインティングデバイスとして使用することができる。
【００１４】
キーボード部２は、筐体１３上に配置されている。図１、図２、及び図３に示すように、キーボード部２は、四辺形状のベースプレート１６と、ベースプレート１６上に配置されたメンブレンシート１７と、複数のキートップ１８と、を有している。ベースプレート１６と、メンブレンシート１７と、複数のキートップ１８とは一体化されている。
メンブレンシート１７は、メンブレン接点を用いた一体型の接点である。メンブレンシート１７とキートップ１８との間には、ドームラバー（ラバードーム）やパンタグラフ（シザーズ）機構などのストローク部材１９が介在している。
【００１５】
ベースプレート１６とメンブレンシート１７の中央部には、貫通孔２０が形成されている。貫通孔２０は、例えば、直径３ｍｍの円形をなし、キーボード部２のキートップ１８側に侵入した水を、反対側に排出することができる。換言すれば、貫通孔２０は、キーボード部２の上方から侵入した水を、キーボードの下方へ落下させることができる。貫通孔２０の個数は一つに限ることはなく、キーボード部２の剛性が確保できるのであれば、複数設けてもよい。
【００１６】
キーボード部２のベースプレート１６は、所定の方法で筐体１３に取り付けられている。キーボード部２が筐体１３に取り付けられることで、複数のキートップ１８が筐体１３に形成されているキーボード孔１４から露出する。ベースプレート１６は、四辺形状をなし、四辺には、キートップ１８側に突出するように形成されたウォール１６Ａが形成されている。ウォール１６Ａは、キーボード部２上を流れる液体がベースプレート１６の四辺から漏れるのを防止する。
【００１７】
排水構造３０は、キーボード部２の貫通孔２０と、キーボード部２の下側に配置されている受け部材３と、受け部材３から落下した液体を受け部材３の下で受け入れるとともに、液体を筐体１３の外部に排出する案内路６と、を有している。
【００１８】
受け部材３は、キーボード部２の貫通孔２０を通って浸入した液体を受け入れる部材である。受け部材３は所定の方法で筐体１３に固定されている。
図２及び図４に示すように、受け部材３は、平面視で四辺形状をなす平面板状の受け板２２と、受け板２２の四辺より立ち上がるように形成された囲い板２３と、を有している。受け板２２は、キーボード部２を通って浸入した液体を表面に沿って所定方向に導く傾斜を有している。
受け板２２は、平面視で、キーボード部２と略同等か、やや小さな外形を有している。平面視での受け板２２の大きさは、キーボード部２と略同等であればよく、具体的には、キーボード部２の貫通孔２０を介して落下する液体を受け入れることができる大きさであればよい。
【００１９】
囲い板２３は、コンピュータ本体１０を水平な面に載置した場合に、鉛直方向上方に立ち上がる板状の壁面である。４面からなる囲い板２３は互いに接続されている。受け部材３は、受け板２２と、４面の囲い板２３とで、上方が開放された箱形状をなしている。
【００２０】
四辺形状をなす受け板２２は、コンピュータ本体１０を水平な面に載置した場合に、水平な面に対して傾斜している。換言すれば、受け板２２は、四辺形をなす受け板２２の少なくとも一の隅部２４の高さが他の隅部２４と異なるように傾斜して配置されている。本実施形態の受け板２２は、前後方向Ｘの後方側であって幅方向Ｙの第一の側の第一隅部２４ａが最も低く、前後方向Ｘの前方側であって幅方向Ｙの第一の側とは反対の第二の側の第四隅部２４ｄが最も高くなるように傾斜している。
【００２１】
受け部材３（受け板２２）の四つの隅部２４には、開口部４が形成されている。開口部４は、受け部材３によって受け入れられ、所定方向に導かれた液体を下方に落下させる孔である。開口部４は、受け板２２の第一面から、第一面とは反対側の第二面に貫通するように形成された貫通孔２０である。
【００２２】
案内路６は、開口部４から落下した液体を受け部材３の下で受け入れるとともに、液体を筐体１３の外部に排出する部位である。案内路６は、開口部４に接続されている４本の垂直管７と、垂直管７の下端に接続されコンピュータ本体１０の前後方向Ｘに延在する２本の排水溝８と、を有している。排水溝８は、コンピュータ本体１０の幅方向Ｙに離間して配置されている。
【００２３】
垂直管７は、コンピュータ本体１０を水平な面に載置した場合に、鉛直方向に延在する管状部材である。垂直管７は、開口部４から落下した液体を下方に導く部材である。
排水溝８は、コンピュータ本体１０の幅方向Ｙの第一の側の２本の垂直管７の下端を接続するとともに筐体１３の前面及び筐体１３の後面まで延在しているトンネル状の空間である。排水溝８は、筐体１３の前面及び後面にて開口して、筐体１３内に侵入した液体を排出（排水）するための排水口２６，２７を形成している。
【００２４】
換言すれば、排水溝８は、垂直管７を介して液体を受け入れるとともに、筐体１３の前面に開口する前面排水口２６と筐体１３の後面に開口する後面排水口２７とを連通させる流路である。排水溝８は、コンピュータ本体１０の幅方向Ｙの第一の側の第一排水溝８ａと、コンピュータ本体１０の幅方向Ｙの第一の側の反対側の第二の側の第二排水溝８ｂとから構成されている。
第一排水溝８ａは、４つの開口部４のうち２つの開口部４の直下に設けられている。第二排水溝８ｂは、他の２つの開口部４の直下に設けられている。
【００２５】
排水溝８は、コンピュータ本体１０の前後方向Ｘに直交する断面形状が矩形をなす空間である。排水溝８は、筐体１３の前面から後面に向かうに従って漸次低くなるように傾斜している。即ち、前面排水口２６が後面排水口２７よりも高くなるように傾斜している。なお、排水溝８の傾斜は、筐体１３の前面排水口２６が後面排水口２７よりも低くなるような傾斜でもよい。
換言すれば、案内路６は、受け部材３より受け入れた液体を、筐体１３におけるキーボード部２に沿う平面の端部へ向かう所定方向へ導く傾斜を有している。
排水溝８の下面（上方を向く面）は、開口部４の直下の位置から筐体１３におけるキーボード部２に沿う平面の端部へ向かう少なくとも一の方向へ傾斜して、液体を案内する案内面９として機能する。以下、排水溝８の下面を案内面９と呼ぶ。案内面９は、筐体１３におけるキーボード部２に沿う平面の端部のうち、第一の端部である前面排水口２６から、第一の端部とは反対側の第二の端部である後面排水口２７まで延在している排水溝８に形成されている。
【００２６】
次に、本実施形態のノート型パソコン１の排水構造３０の作用について説明する。
（ノート型パソコン１が水平に設置されている場合）
＜ノート型パソコン１上面からの浸水＞
ノート型パソコン１の上面からキーボード部２に水が浸入した際、キーボード部２の貫通孔２０を通して受け部材３の受け板２２に水が排出される。受け板２２は、第一隅部２４ａが最も低くなるような傾斜を有しているため、水は、図５の矢印Ｆ１方向に移動する。
移動した水は、第一隅部２４ａの開口部４ａから垂直管７を通って第一排水溝８ａに排出される。第一排水溝８ａの案内面９は、前後方向Ｘの後方に向かうに従って低くなるように形成されているため、水は傾斜に沿って前後方向Ｘの後方に移動する。移動した水は、筐体１３後面の後面排水口２７から筐体１３の外部へ排出される。
【００２７】
＜排水口からの浸入＞
筐体１３前面に設けられている前面排水口２６、あるいは後面に設けられている後面排水口２７から水が浸入した際、水は、排水溝８に移動する。排水溝８の案内面９は、前後方向Ｘの後方に向かうに従って低くなるように形成されているため、水は傾斜に沿って前後方向Ｘの後方に移動する。移動した水は、筐体１３後面の後面排水口２７から筐体１３の外部へ排出される。
【００２８】
（ノート型パソコン１が傾いて設置されている場合）
＜ノート型パソコン１上面からの浸水＞
図６に示すように、水平な面Ｈに対してコンピュータ本体１０の前方が低くなるように傾いて設置されている場合について説明する。
ノート型パソコン１の上面からキーボード部２に水が浸入した際、キーボード部２の貫通孔２０を通して受け部材３の受け板２２に水が排出される。受け板２２は、第一隅部２４ａが最も低くなるような傾斜を有しているが、コンピュータ本体１０がコンピュータ本体１０の前方が低くなるように傾いているため、液体は、図６の矢印Ｆ２方向に移動する。
移動した水は、第二隅部２４ｂ又は第四隅部２４ｄの開口部４ｂ，４ｄから垂直管７を通って排水溝８に排出される。排水溝８の案内面９は、前後方向Ｘの後方に向かうに従って低くなるように形成されているが、コンピュータ本体１０の前方が低くなるように傾いているため、水は、前後方向Ｘの前方に移動する。移動した水は、筐体１３前面の前面排水口２６から筐体１３の外部へ排出される。
【００２９】
＜排水口からの浸入＞
筐体１３前面に設けられている前面排水口２６、あるいは後面に設けられている後面排水口２７から水が浸入した際、水は、排水溝８に移動する。排水溝８の案内面９は、前後方向Ｘの後方に向かうに従って低くなるように形成されているが、コンピュータ本体１０の前方が低くなるように傾いているため、水は、前後方向Ｘの前方に移動する。移動した水は、前面排水口２６から筐体１３の外部へ排出される。
【００３０】
上記実施形態によれば、液体が斜面である受け板２２に沿って開口部４に導かれ、開口部４から落下した液体が案内路６を介してキーボードに沿う平面の端部である排水口２６，２７に導かれる。これにより、排水口２６，２７より液体を確実に排水することができる。
また、受け部材３が第一隅部２４ａが最も低くなるような平面状をなしているため、キーボード部２より浸入した液体を確実に開口部４に導くことができる。また、四辺形状をなす受け部材３の４つの隅部２４にそれぞれ開口部４が設けられていることによって、ノート型パソコン１が傾いて設置されている場合においても液体を案内路６に導くことができる。
また、案内路６の排水溝８に設けられている案内面９が排水口２６，２７に向かって傾斜して形成されているため、液体を確実に排水口２６，２７に導くことができる。
【００３１】
なお、上記実施形態では、排水溝８は、前後方向Ｘに延在し、排水口２６，２７が筐体１３の前面及び後面に設けられているが、案内路６が受け入れた液体を排出することができれば、これに限ることはない。例えば、排水溝８が幅方向Ｙに延在し、排水口２６，２７が、筐体１３の両側面に開口する構成としてもよい。
【００３２】
（第二実施形態）
以下、本発明の第二実施形態のノート型パソコン１Ｂを図面に基づいて説明する。なお、本実施形態では、上述した第一実施形態との相違点を中心に述べ、同様の部分についてはその説明を省略する。
図７に示すように、本実施形態の排水構造３０Ｂの案内路６Ｂは、排水溝８Ｂの形状が第一実施形態の排水溝８の形状と異なっている。本実施形態の排水溝８Ｂは、前後方向Ｘの前方の開口部４ｂ（垂直管７）の直下の位置から前面排水口２６（第一の端部）へ向かって徐々に低くなるように傾斜する第一案内面９ａと、前後方向Ｘの後方の開口部４ａ（垂直管７）の直下の位置から後面排水口２７（第二の端部）へ向かって徐々に低くなるように傾斜する第二案内面９ｂと、を有している。
【００３３】
また、排水溝８Ｂは、第一案内面９ａの頂部と第二案内面９ｂの頂部を接続する水平面１５を有している。水平面１５は、平面状をなす面であり、コンピュータ本体１０を水平な面に載置した場合に、水平となる。なお、水平面１５は、コンピュータ本体１０を水平な面に載置した場合に、水平とする必要はなく、コンピュータ本体１０の前方又は後方に向かって傾斜してもよい。
第一案内面９ａと水平面１５とによって形成される稜線である第一稜線２８は、開口部４の直下の位置よりやや後方（中央寄り）に配置されている。第二案内面９ｂと水平面１５とによって形成される稜線である第二稜線２９は、開口部４の直下の位置よりやや前方（中央寄り）に配置されている。
【００３４】
次に、本実施形態のノート型パソコン１Ｂの排水構造３０Ｂの作用について説明する。
（ノート型パソコン１Ｂが水平に設置されている場合）
図７に示すように、第一案内面９ａ及び第二案内面９ｂは、開口部４の直下の位置から筐体１３の前方又は後方に傾斜しているため、受け板２２の開口部４を及び垂直管７を通って落下した液体は、矢印Ｆ３，Ｆ４に示すように、第一案内面９ａ及び第二案内面９ｂに落下する。即ち、液体は、水平面１５に落下することはない。
第一案内面９ａは、前面排水口２６に向かって低くなるように傾斜しているため、液体は、前面排水口２６に向かって移動して筐体１３の外部へ排出される。第二案内面９ｂは、後面排水口２７に向かって低くなるように傾斜しているため、液体は、後面排水口２７に向かって移動して筐体１３の外部へ排出される。
【００３５】
（ノート型パソコン１Ｂが傾いて設置されている場合）
図８に示すように、水平面１５は、前方と後方のいずれかが低くなるように傾く。受け板２２の開口部４を及び垂直管７を通って落下した液体は、第一案内面９ａ又は第二案内面９ｂと、水平面１５に落下する。
図８に示すように、水平な面Ｈに対してコンピュータ本体１０の前方が低くなるように傾いている場合、矢印Ｆ５，Ｆ６に示すように、液体は、第一案内面９ａと水平面１５に落下する。第一案内面９ａは、前面排水口２６に向かって低くなるように傾斜しているため、液体は、前面排水口２６に向かって移動して筐体１３の外部へ排出される。水平面１５も、前面排水口２６に向かって低くなるように傾斜するため、液体は、前面排水口２６に向かって移動して筐体１３の外部へ排出される。
【００３６】
上記実施形態によれば、ノート型パソコン１Ｂが傾いて設置されている場合に案内面９（水平面１５）が水平となりにくくなるため、より確実に液体を筐体１３の外部に排出することができる。即ち、水平面１５が水平となっている場合は、液体は、水平面１５に落下しない構造となっているため、液体が筐体１３内に滞留することを防止することができる。
【００３７】
（第三実施形態）
以下、本発明の第三実施形態のノート型パソコン１Ｃを図面に基づいて説明する。なお、本実施形態では、上述した第二実施形態との相違点を中心に述べ、同様の部分についてはその説明を省略する。
図９に示すように、本実施形態の排水構造３０Ｃを構成する排水溝８の案内面９Ｃは、排水溝８の延在方向に直交する水平方向から見た（コンピュータ本体１０の幅方向Ｙに沿う方向から見た）断面形状が上方に凸の曲線状をなしている。
【００３８】
案内面９Ｃは、前方の開口部４ｂの直下の位置と、後方の開口部４ａの直下の位置との間が最も上方に凸となるように形成されている。換言すれば、案内面９Ｃは、排水溝８の延在方向に直交する水平方向から見た断面形状が上方に凸の円弧状をなし、前方の開口部４ｂの直下の位置と、後方の開口部４ａの直下の位置との間が最も高くなるように形成されている。
本実施形態の案内面９Ｃは、例えば、ブロー成形を用いることによって容易に形成することができる。即ち、ブロー成形によって形成される膨らみを利用することによって、曲面状の案内面９Ｃを形成することができる。
【００３９】
上記実施形態によれば、受け板２２の開口部４を及び垂直管７を通って落下した液体は、曲面状の案内面９Ｃに沿って、前面排水口２６又は後面排水口２７に移動して筐体１３の外部へ排出される。これにより、液体が案内面９Ｃに滞留することを防止することができる。
【００４０】
（第四実施形態）
以下、本発明の第四実施形態のノート型パソコンを図面に基づいて説明する。なお、本実施形態では、上述した第一実施形態との相違点を中心に述べ、同様の部分についてはその説明を省略する。
図１０に示すように、本実施形態の受け部材３Ｄの受け板２２Ｄは、平面視では四辺形状をなすが、上面の所定箇所を頂部とする凸曲面状をなしている。具体的には、前後方向Ｘ及び幅方向Ｙの中央部近傍を頂点として、この頂点が最も高くなるような球面状をなしている。
本実施形態の受け板２２Ｄは、例えば、ブロー成形を用いることによって容易に形成することができる。
【００４１】
上記実施形態によれば、キーボード部２の貫通孔２０から落下した液体は、曲面状の受け板２２Ｄによって、４つの隅部２４のいずれかに導かれて、垂直管７を介して案内路６に受け入れられる。これにより、液体が受け板２２Ｄ上に滞留することを防止することができる。
【００４２】
（第五実施形態）
以下、本発明の第五実施形態のノート型パソコンを図面に基づいて説明する。なお、本実施形態では、上述した第一実施形態との相違点を中心に述べ、同様の部分についてはその説明を省略する。
図１１に示すように、本実施形態の受け部材３Ｅの受け板２２Ｅは、上面の所定箇所から各々の隅部２４へ向かって漸次低くなるように傾斜する複数の平面３２を有している。
具体的には、キーボード部２の貫通孔２０の直下近傍に頂点Ｐを有し、頂点Ｐから第一隅部２４ａに向かって漸次低くなるように傾斜する第一平面３２ａと隅部２４ｂに向かって漸次低くなるように傾斜する第二平面３２ｂと、隅部２４ｃに向かって漸次低くなるように傾斜する第三平面３２ｃと、隅部２４ｄに向かって漸次低くなるように傾斜する第四平面３２ｄと、を有している。
【００４３】
上記実施形態によれば、キーボード部２の貫通孔２０から頂点に落下した液体は、４面の平面３２によって４つの隅部２４のいずれかに導かれて、垂直管７を介して案内路６に受け入れられる。これにより、液体が受け板２２上に滞留することを防止することができる。
【００４４】
（第六実施形態）
以下、本実施形態の第六実施形態の電子機器であるキーボード装置４０を図面に基づいて説明する。
図１２に示すように、本実施形態のキーボード装置４０は、キーボード部２等を有するキーボード装置本体４１と、キーボード部２から侵入した水などの液体を排水する排水構造３０Ｆと、を有している。
キーボード装置本体４１は、箱型のキーボード筐体４２を有している。キーボード筐体４２には、キーボード部２が取り付けられている。キーボード筐体４２は、キーボード筐体４２にキーボード部２が取り付けられた際に、キーボード部２の複数のキートップ１８を露出させるための四辺形状のキーボード孔１４を有している。
【００４５】
排水構造３０Ｆは、第一実施形態から第六実施形態のノート型パソコン１の排水構造３０Ｆと同様の構造を採用することができる。即ち、本実施形態のキーボード装置４０のキーボード部２の下方には受け部材３Ｆが配置され、受け部材３Ｆから落下した液体は、案内路６によってキーボード筐体４２の前面及び後面に設けられている排水口２６，２７から排出される。
【００４６】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
【符号の説明】
【００４７】
１，１Ｂ，１Ｃ  ノート型パソコン（電子機器）
２  キーボード部
３，３Ｄ  受け部材
４  開口部
６  案内路
７  垂直管
８，８Ｂ  排水溝
８ａ  第一排水溝
８ｂ  第二排水溝
９  案内面
９ａ  第一案内面
９ｂ  第二案内面
１０  コンピュータ本体
１１  表示部
１１Ａ  表示面
１２  タッチパッド部
１３  筐体
１４  キーボード孔
１５  水平面
１６  ベースプレート
１６Ａ  ウォール
１７  メンブレンシート
１８  キートップ
１９  ストローク部材
２０  貫通孔
２２，２２Ｄ  受け板
２３  囲い板
２４，２４ａ，２４ｂ，２４ｃ，２４ｄ  隅部
２６  前面排水口（端部）
２７  後面排水口（端部）
３０，３０Ｂ，３０Ｃ，３０Ｆ  排水構造
３２，３２ａ，３２ｂ，３２ｃ，３２ｄ  平面
４０  キーボード装置
４１  キーボード装置本体
４２  キーボード筐体
Ｘ  前後方向
Ｙ  幅方向
【図１】
0006481461.tif 000002
【図２】
0006481461.tif 000003
【図３】
0006481461.tif 000004
【図４】
0006481461.tif 000005
【図５】
0006481461.tif 000006
【図６】
0006481461.tif 000007
【図７】
0006481461.tif 000008
【図８】
0006481461.tif 000009
【図９】
0006481461.tif 000010
【図１０】
0006481461.tif 000011
【図１１】
0006481461.tif 000012
【図１２】
0006481461.tif 000013